【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
脈波を測定する装置であって、
互いに離間した測定部位のそれぞれに対応して配置され得る第１脈波センサ部および第２脈波センサ部と、を備え、
前記第１脈波センサ部は、第１周波数を有する第１電流信号を対応の前記測定部位に出力する第１出力部と、当該対応の測定部位から脈波を表す電圧信号を検出するための第１検出部と、を含み、
前記第２脈波センサ部は、前記第１周波数とは異なる第２周波数を有する第２電流信号を対応の前記測定部位に出力する第２出力部と、当該対応の測定部位から脈波を表す電圧信号を検出するための第２検出部と、を含み、
さらに、
前記第１検出部は、検出する前記脈波を表す電圧信号を、前記第１周波数に対応のフィルタ特性に基づき処理し、
前記第２検出部は、検出する前記脈波を表す電圧信号を、前記第２周波数に対応のフィルタ特性に基づき処理し、
前記第１検出部が検出する前記電圧信号が表す脈波および前記第２検出部が検出する前記電圧信号が表す脈波の少なくとも一方から、脈波伝搬速度を検出し、
前記装置は、さらに、
前記第１検出部が検出する前記電圧信号が表す脈波から算出される前記脈波伝搬速度に基づく第１血圧および前記第２検出部が検出する前記電圧信号が表す脈波から算出される前記脈波伝搬速度に基づく第２血圧の少なくとも一方を算出する血圧算出部を備える、測定装置。
【請求項２】
前記第１周波数は６０ｋＨｚを示し、前記第２周波数は５０ｋＨｚを示す、請求項１に記載の測定装置。
【請求項３】
脈波を測定する装置であって、
互いに離間した測定部位のそれぞれに対応して配置され得る第１脈波センサ部および第２脈波センサ部を備え、
前記第１脈波センサ部は、第１周波数を有する第１電流信号を対応の前記測定部位に出力する第１出力部と、当該対応の測定部位から脈波を表す電圧信号を検出するための第１検出部と、を含み、
前記第２脈波センサ部は、第２周波数を有する第２電流信号を対応の前記測定部位に出力する第２出力部と、当該対応の測定部位から脈波を表す電圧信号を検出するための第２検出部と、を含み、
前記第１脈波センサ部と前記第２脈波センサ部を、予め定められた間隔で交互に駆動し、
前記第１検出部が検出する前記電圧信号が表す脈波および前記第２検出部が検出する前記電圧信号が表す脈波の少なくとも一方から、脈波伝搬速度を検出し、
前記装置は、さらに、
前記第１検出部が検出する前記電圧信号が表す脈波から算出される前記脈波伝搬速度に基づく第１血圧および前記第２検出部が検出する前記電圧信号が表す脈波から算出される前記脈波伝搬速度に基づく第２血圧の少なくとも一方を算出する血圧算出部を備える、測定装置。
【請求項４】
前記第１周波数と前記第２周波数は、同じ周波数を示す、請求項３に記載の測定装置。
【請求項５】
前記第１周波数は、前記第２周波数とは異なる、請求項３に記載の測定装置。
【請求項６】
前記第１周波数は、５０ｋＨｚまたは６０ｋＨｚを示し、
前記第２周波数は、５０ｋＨｚまたは６０ｋＨｚを示す、請求項１から５のいずれか１項に記載の測定装置。
【請求項７】
前記測定装置は、さらに、
前記第１検出部および前記第２検出部が検出する前記脈波を表す電圧信号のそれぞれについて、Ｓ／Ｎ比を検出する、請求項１から６のいずれか１項に記載の測定装置。
【請求項８】
前記血圧算出部は、前記第１検出部および前記第２検出部が検出する前記脈波を表す電圧信号のうち、前記Ｓ／Ｎ比の高い方の電圧信号が示す脈波から算出される前記脈波伝搬速度に基づく血圧を算出する、請求項７に記載の測定装置。
【請求項９】
前記血圧算出部は、
前記第１血圧および前記第２血圧のうちの代表血圧を算出する、請求項７または８に記載の測定装置。
【請求項１０】
前記代表血圧は、
前記第１血圧および前記第２血圧の平均血圧を含む、請求項９に記載の測定装置。
【請求項１１】
前記平均血圧は、
前記第１血圧および前記第２血圧のそれぞれに重みを付けて算出される平均であって、
前記第１血圧の重みは対応のＳ／Ｎ比に基づき、前記第２血圧の重みは対応の前記Ｓ／Ｎ比に基づいている、請求項１０に記載の測定装置。
【請求項１２】
前記測定装置は、ディスプレイと、
表示部を有した外部の情報処理装置と通信する通信部を、さらに備え、
前記測定装置は、
前記血圧算出部が算出した血圧値を前記表示部に表示するように、前記通信部を介して前記情報処理装置に送信する、請求項１から１１のいずれか１項に記載の測定装置。
【請求項１３】
装置の制御方法をコンピュータに実行させるためのプログラムであって、
前記装置は、
互いに離間した測定部位のそれぞれに対応して配置され得る第１脈波センサ部および第２脈波センサ部と、を備え、
前記制御方法は、
前記第１脈波センサ部を、第１周波数を有する第１電流信号を対応の前記測定部位に出力するよう制御する第１出力ステップと、
前記第１脈波センサ部を、前記第１脈波センサ部に対応の測定部位から脈波を表す電圧信号を検出するよう制御する第１検出ステップと、
前記第２脈波センサ部を、第２周波数を有する第２電流信号を対応の前記測定部位に出力するよう制御する第２出力ステップと、
前記第２脈波センサ部を、前記第２脈波センサ部に対応の測定部位から脈波を表す電圧信号を検出するよう制御する第２検出ステップと、
前記第１検出ステップにおいて検出する前記脈波を表す電圧信号を、前記第１周波数に対応のフィルタ特性に基づき処理する第１処理ステップと、
前記第２検出ステップにおいて検出する前記脈波を表す電圧信号を、前記第２周波数に対応のフィルタ特性に基づき処理する第２処理ステップと、
前記第１検出ステップにおいて検出される前記電圧信号が表す脈波および前記第２検出ステップにおいて検出される前記電圧信号が表す脈波の少なくとも一方から、脈波伝搬速度を検出するステップと、
前記第１検出ステップにおいて検出される前記電圧信号が表す脈波から算出される前記脈波伝搬速度に基づく第１血圧および前記第２検出ステップにおいて検出される前記電圧信号が表す脈波から算出される前記脈波伝搬速度に基づく第２血圧の少なくとも一方を算出するステップを備える、プログラム。
【請求項１４】
装置の制御方法をコンピュータに実行させるためのプログラムであって、
前記装置は、
互いに離間した測定部位のそれぞれに対応して配置され得る第１脈波センサ部および第２脈波センサ部と、を備え、
前記制御方法は、
前記第１脈波センサ部を、第１周波数を有する第１電流信号を対応の前記測定部位に出力するよう制御する第１出力ステップと、
前記第１脈波センサ部を、対応の測定部位から脈波を表す電圧信号を検出するよう制御する第１検出ステップと、
前記第２脈波センサ部を、第２周波数を有する第２電流信号を対応の前記測定部位に出力するよう制御する第２出力ステップと、
前記第２脈波センサ部を、対応の測定部位から脈波を表す電圧信号を検出するよう制御する第２検出ステップと、
前記第１脈波センサ部と前記第２脈波センサ部を、予め定められた間隔で交互に駆動するステップと、
前記第１検出ステップにおいて検出される前記電圧信号が表す脈波および前記第２検出ステップにおいて検出される前記電圧信号が表す脈波の少なくとも一方から、脈波伝搬速度を検出するステップと、
前記第１検出ステップにおいて検出される前記電圧信号が表す脈波から算出される前記脈波伝搬速度に基づく第１血圧および前記第２検出ステップにおいて検出される前記電圧信号が表す脈波から算出される前記脈波伝搬速度に基づく第２血圧の少なくとも一方を算出するステップを備える、プログラム。
【手続補正２】
【補正対象書類名】図面
【補正対象項目名】図４
【補正方法】変更
【補正の内容】
【図４】
2019110987.tif 000001
【手続補正３】
【補正対象書類名】図面
【補正対象項目名】図６
【補正方法】変更
【補正の内容】
【図６】
2019110987.tif 000002
【手続補正４】
【補正対象書類名】図面
【補正対象項目名】図７
【補正方法】変更
【補正の内容】
【図７】
2019110987.tif 000003